(57)【特許請求の範囲】
【請求項１】
照明デバイスであって、
光軸上に配置された光源と、
前記光軸の周りに延びて該光源を取り囲むバッフルと、
前記バッフルに接続された反射器モジュールと、を含み、
前記反射器モジュールは、
照明デバイスの光出力がターゲット区域に向けてそこから投影されて前記光軸が通過する光出口開口部、及び、そこに入射する光を該開口部から離れるようにかつ該光軸に対して角度を成して反射するための、該開口部に隣接する複数の反射面を有する主反射器と、  照明デバイスの前記光出力の形状を調節するための複数の補助反射器であって、各補助反射器が、反射面を含み、各補助反射器が、収容位置と、該補助反射器の該反射面の少なくとも一部が、前記主反射器の前記開口部によって露出され、そこに入射する光を前記ターゲット区域から離れるように反射するように展開位置と、の間で前記主反射器の前記光源から離れた側で該主反射器に対して移動可能である前記複数の補助反射器と、
を含むことを特徴とする照明デバイス。
【請求項２】
各補助反射器が、前記主反射器に対して摺動可能であることを特徴とする請求項１に記載の照明デバイス。
【請求項３】
各補助反射器が、実質的に直線の経路に沿って前記主反射器に対して移動可能であることを特徴とする請求項１又は請求項２に記載の照明デバイス。
【請求項４】
各実質的に直線の経路が、前記光軸に対して角度を成していることを特徴とする請求項３に記載の照明デバイス。
【請求項５】
各補助反射器が、その収容位置にある時に、前記光源によって発生された前記光から前記主反射器によって遮蔽されることを特徴とする請求項１から請求項４のいずれか１項に記載の照明デバイス。
【請求項６】
前記補助反射器の各々が、前記主反射器に対して独立に移動可能であることを特徴とする請求項１から請求項５のいずれか１項に記載の照明デバイス。
【請求項７】
前記補助反射器の前記反射面の前記少なくとも一部は、前記展開位置にある時に、前記主反射器の隣接する反射面と実質的に平行であることを特徴とする請求項１から請求項６のいずれか１項に記載の照明デバイス。
【請求項８】
前記複数の補助反射器は、それらの展開位置に向けたその移動によって互いに接近する１対の第１の補助反射器と、それらの展開位置に向けたその移動によって互いに接近する１対の第２の補助反射器とを含み、該第１の補助反射器及び該第２の補助反射器は、前記光軸の周りに交互に配置されていることを特徴とする請求項１から請求項７のいずれか１項に記載の照明デバイス。
【請求項９】
前記第１の補助反射器は、前記第２の補助反射器のものとは異なる形状を有することを特徴とする請求項８に記載の照明デバイス。
【請求項１０】
前記第１の補助反射器の各々が、平面反射面を含むことを特徴とする請求項８又は請求項９に記載の照明デバイス。
【請求項１１】
前記第１の補助反射器の前記反射面は、非共面であることを特徴とする請求項１０に記載の照明デバイス。
【請求項１２】
前記第１の補助反射器のうちの各々の前記反射面は、前記開口部の前記光軸に対して垂直である平面に対して傾斜していることを特徴とする請求項８から請求項１１のいずれか１項に記載の照明デバイス。
【請求項１３】
前記第１の補助反射器のうちの各々の前記反射面は、５°から３０°の範囲にある角度で前記平面に対して傾斜していることを特徴とする請求項１２に記載の照明デバイス。
【請求項１４】
前記第２の補助反射器の各々が、複数の非共面反射面を含むことを特徴とする請求項８から請求項１３のいずれか１項に記載の照明デバイス。
【請求項１５】
前記第２の補助反射器のうちの各々の前記反射面は、前記開口部の前記光軸に対して垂直である平面に対して傾斜していることを特徴とする請求項１４に記載の照明デバイス。
【請求項１６】
前記第２の補助反射器の各反射面が、隣接する第１の補助反射器の反射面と平行であることを特徴とする請求項１４又は請求項１５に記載の照明デバイス。
【請求項１７】
前記補助反射器が展開位置にある時に、前記第２の補助反射器のうちの各々の少なくとも一部分が、前記主反射器と前記第１の補助反射器のうちの１つとの間に配置されることを特徴とする請求項８から請求項１６のいずれか１項に記載の照明デバイス。
【請求項１８】
前記第２の補助反射器のうちの各々の第１の部分が、前記主反射器と前記第１の補助反射器のうちの第１のものとの間に配置され、該第２の補助反射器のうちの各々の第２の部分が、該主反射器と該第１の補助反射器のうちの第２のものとの間に配置されることを特徴とする請求項１７に記載の照明デバイス。
【請求項１９】
前記第１の補助反射器の各々が、第１の角度で前記光軸と交差する方向に前記主反射器に対して移動可能であり、前記第２の補助反射器の各々が、第２の角度で該光軸と交差する方向に該主反射器に対して移動可能であり、
前記第１の角度は、前記第２の角度とは異なる、
ことを特徴とする請求項８から請求項１８のいずれか１項に記載の照明デバイス。
【請求項２０】
前記第２の角度は、９０°であることを特徴とする請求項１９に記載の照明デバイス。
【請求項２１】
前記バッフルは、前記光源に近接する第１の端部と該光源から遠隔の第２の端部とを含み、
前記主反射器は、前記バッフルの前記第２の端部に接続される、
ことを特徴とする請求項１から請求項２０のいずれか１項に記載の照明デバイス。
【請求項２２】
前記開口部に隣接する前記主反射器の前記反射面の各々が、前記光軸から離れる方向に面する平面反射器であることを特徴とする請求項１から請求項２１のいずれか１項に記載の照明デバイス。
【請求項２３】
前記主反射器は、前記開口部に隣接する前記反射面の周りに配置され、かつそれに対して角度を成す複数の周囲面を含むことを特徴とする請求項１から請求項２２のいずれか１項に記載の照明デバイス。
【請求項２４】
前記周囲面の各々が、前記光軸に向いて面していることを特徴とする請求項２３に記載の照明デバイス。
【請求項２５】
前記周囲面の各々が、反射面を含むことを特徴とする請求項２３又は請求項２４に記載の照明デバイス。
【発明の詳細な説明】
【技術分野】
【０００１】
本発明は、照明デバイスに関する。好ましい実施形態において、照明デバイスは、吊り下げ型又は天井装着型照明デバイスである。
【背景技術】
【０００２】
国際公開第２０１５／１３６２４１号は、部屋又は他の内部環境内に投影される光のビームをＬＥＤ光源が発生する照明デバイスを説明している。光源は、デバイスの使用中に光源によって発生された熱を放散するための冷却回路と熱連通する支持フレームに接続される。デバイスは、光源を駆動するための電流を供給するためのワイヤを同じく含む吊り下げケーブルによって部屋の天井から吊り下げられる。バッフルが、光源を取り囲み、光源によって発生された光をターゲット区域に向けて誘導し、かつ作動時にユーザがデバイスを側面から見る時の眩しさを低減する。
【先行技術文献】
【特許文献】
【０００３】
【特許文献１】国際公開第２０１５／１３６２４１号
【発明の概要】
【課題を解決するための手段】
【０００４】
本発明は、光軸上に配置された光源と、光軸の周りに延びて光源を取り囲むバッフルと、バッフルに接続された反射器モジュールであって、照明デバイスの光出力がターゲット区域に向けてそこから投影されて光軸が通過する光出口開口部を有する主反射器及び入射する光を開口から離れる方向にかつ光軸に対して角度を成して反射するために開口部に隣接する複数の反射面を含む上記反射器モジュールと、照明デバイスの光出力の形状を調節するための複数の補助反射器であって、各補助反射器が、反射面を含み、各補助反射器が、収容位置と、補助反射器の反射面の少なくとも一部が主反射器の開口部によって露出され、そこに入射する光を開口部から離れる方向に反射する展開位置との間で主反射器に対して移動可能である上記複数の補助反射器とを含む照明デバイスを提供する。
【０００５】
光源は、好ましくは、チップ−オン−ボード（ＣＯＢ）ＬＥＤモジュールのようなＬＥＤアレイであるが、光源は、複数のそのようなアレイ、単一又は複数のＬＥＤ、ＯＬＥＤ又はＯＬＥＤアレイ、又は単一又は複数のレーザダイオード又はレーザダイオードアレイを含むことができる。光源によって発生された光から選択された光分布パターンを作成するためのレンズを設けることができる。バッフルは、光源を照明デバイスの通常の視野から遮蔽するために光源及び任意的にレンズも取り囲む。照明デバイスが天井装着型ダウンライトデバイスの形態にある好ましい実施形態において、レンズは、会議テーブル又は床空間のようなデバイスの下に位置付けられたほぼ矩形のターゲット区域を照明するように選択される。バッフルは、好ましくは、光源に近接する第１の開放端と、光源から遠隔の第２のほぼ矩形の開放端と、開放端間の一連の環状隆起部とを有する切頂矩形ピラミッドの形状を有する。バッフルの内面は、反射性である場合がある。
【０００６】
本発明は、反射器モジュールの具備を通してＷＯ  ２０１５／１３６２４１に説明されたデバイスに改良を加えるものである。バッフルの第１の開放端は、好ましくは、光源を支持するための支持構造体に接続される。反射器モジュールは、好ましくはバッフルの第２の開放端に接続され、かつ好ましくは反射器モジュールの反射面がバッフルから離間するように配置される。反射器モジュールは、照明デバイスが天井装着型ダウンライトデバイスの形態にある時に反射器モジュールが光源及びバッフルの両方の下に位置付けられるように、バッフルにこのように接続される。反射器モジュールは、反射器モジュールの洗浄及びその開口サイズの調節を容易にするためにバッフルに着脱可能に接続することができる。
【０００７】
反射器モジュールは、主反射器及び複数の補助反射器を含む。主反射器は、照明デバイスの光出力がターゲット区域に向けてそこから投影される光出口開口部を含む。光出口開口部は、バッフルの第２の開放端から光軸に沿ってかつ好ましくはそれと同心に離間する。バッフルと反射器モジュールの間の距離は、好ましくは固定であり、従って、主反射器の光出口開口部のサイズは、デバイスによって照明されるターゲット区域の最大サイズを決める。
【０００８】
反射器モジュールは、開口部に隣接する反射面を含む。これらの反射面は、好ましくは開口部の周囲を定め、従って、好ましくは開口部を取り囲む。これらの反射面は、光源からそこに入射する光を開口部から離れるようにかつ光軸に対して角度を成して配置され、従って、例えば、デバイスの局所環境の間接的又は２次照明のためにデバイスがその上に装着された天井のような２次ターゲット区域に向けて反射するように配置される。これらの反射面は、好ましくは、非共面で非平行な配置に配置され、かつ好ましくは、いずれの反射光も照明デバイスの他の構成要素の上に入射せず、従って、それによって吸収されないが、代わりに２次ターゲット区域上に入射することを保証するために各反射面が光軸から離れる方向に面するように配置される。主反射器の各反射面は、２次ターゲット区域上で望ましい照明パターンを作成するためのあらゆる形状を取ることができ、従って、湾曲、切子面、又は平面の反射面である場合があり、又は異なる形状の組合せを含むことができる。好ましい実施形態において、主反射器の各反射面は、平面反射面である。
【０００９】
主反射器は、好ましくは、開口部に隣接する反射面の周りにかつそれに対して角度を成して配置された複数の周囲面又は壁を含む。周囲面は、反射器モジュールの反射面を照明デバイスの通常の視野から遮蔽するように機能することができる。周囲面の各々は、好ましくは光軸に向けて面し、かつ反射器モジュールの他の反射面のうちの１つによってそこで反射された光を２次ターゲット区域の方向に向けるための１又は２以上の反射面を含むことができる。
【００１０】
反射器モジュールは、照明デバイスの光出力の形状を調節するための複数の可動補助反射器を更に含む。補助反射器がその収容位置から離れて移動する時に、それは、主反射器の光出口開口部を横切って開口部の一方の側から（光軸に沿って見た時）又は他方の側から移動し、反射器モジュールの開口面積を低減し、それによってターゲット区域に向けて投影される光出力のサイズを低減するか又はそれを切り取る。反射器モジュールの開口面積の低減と同時に、開口部又はターゲット区域から離れるように反射される光の量は、発生された光への補助反射器の反射面の露出を通して増大する。換言すると、切り取られた光は、デバイスによって吸収されないが、代わりに２次ターゲット区域に向けても反射され、そこで、それは、デバイスが位置付けられた環境の全体的照明に寄与することができる。
【００１１】
各補助反射器は、少なくとも１つの反射面を含む。これらの反射面も、好ましくは、光を開口部又はターゲット区域から離れるようにかつ光軸に対して角度を成して反射するように配置される。これらの反射面は、好ましくは、非共面で非平行な配置に配置され、かつ好ましくは、いずれの反射光も照明デバイスの他の構成要素上に入射せず、従って、それによって吸収されないことを保証するために各反射面が光軸から離れる方向に面するように配置される。補助反射器の各反射面は、２次ターゲット区域上に望ましい照明パターンを作成するためのあらゆる形状を取ることができ、従って、湾曲、切子面、又は平面の反射面である場合があり、又は異なる形状の組合せを含むことができる。好ましい実施形態において、補助反射器の反射面は、平面反射面である。
【００１２】
補助反射器の露出された反射面は、好ましくは、主反射器の隣接する反射面に実質的に平行である。上述のように、主反射器の反射面は、好ましくは、平坦面であり、従って、補助反射器の反射面も、好ましくは平坦面であるが、一般的に、補助反射器の反射面の形状は、好ましくは、主反射器の隣接する反射面の形状に一致する。補助反射器のその展開位置への移動は、２次ターゲット区域上に発生される照明パターンのサイズ及び／又は強度を徐々に増大する
【００１３】
反射器モジュールは、あらゆる数の補助反射器を含むことができるが、実際的な理由から２と８の間のいずれかの数が好ましい。選択される数は、一般的に、主反射器の光出口開口部の形状によって決定され、それは、逆に、ターゲット区域の形状によって決定される。開口部は、規則的又は不規則とすることができる円、切断円、正方円又は楕円、又は閉鎖多角形のような閉鎖曲線の形状にある周囲を有することができる。開口部が六角形である例に対して、反射器モジュールは、６つの補助反射器を含むことができる。ターゲット区域が矩形である別の例に対して、反射器モジュールは、４つの補助反射器を含むことができる。好ましい実施形態において、主反射器の光出口開口部は、２つの比較的長い実質的に平行な周縁、及び２つの比較的短い非平行な周縁を含む。各補助反射器の前縁の形状は、好ましくは、光出口開口部の隣接する周縁の形状に適合する。
【００１４】
補助反射器のうちの１又は２以上は、可撓性、ヒンジ式、又は他に移動可能又は変形可能とすることができる。好ましくは、補助反射器は、剛性構造部材であり、従って、それらがそれらの収容位置と展開位置の間で移動する時に同じ形状を維持する。
【００１５】
各補助反射器は、主反射器に対していくつかの異なる方法のうちの１つで移動することができる。例えば、各補助反射器は、主反射器に対して平行移動可能、回転可能、又はピボット回転可能である場合がある。好ましい実施形態において、各補助反射器は、主反射器に対して摺動可能である。補助反射器は、主反射器に対して手動で移動可能である場合があるが、これに代えて、例えば遠隔制御器から受信された指令信号に応答して補助反射器を主反射器に対して移動するための電動システムを設けることができる。補助反射器は、主反射器に対して個々に移動可能である場合がある。これに代えて、補助反射器の１又は２以上の対又は群は、主反射器に対して同時に移動可能とすることができる。
【００１６】
補助反射器は、好ましくは、主反射器の下に配置され、従って、その収容位置にある時に、各補助反射器は、好ましくは、光源によって発生された光から主反射器によって遮蔽される。各補助反射器は、好ましくは、収容位置からその各々において補助反射器の反射面が光源によって発生された光にそれぞれの異なる量で露出される複数の展開位置のうちの１つまで主反射器に対して移動可能である。例えば、各補助反射器は、戻り止め部材を含むことができ、主反射器は、各々が展開位置のそれぞれの１つで戻り止め部材と係合して主反射器に対する補助反射器の運動を確認するための一連の戻り止め凹部又はノッチを含むことができる。補助反射器を望ましい位置に固定するためのキャッチ又はロッキング機構を設けることができる。
【００１７】
各補助反射器は、予め決められた経路に沿って主反射器に対して移動可能である。経路は、湾曲又は非直線とすることができるが、好ましい実施形態において、各補助反射器は、それぞれの実質的に直線の経路に沿って主反射器に対して移動可能である。これらの経路の各々は、好ましくは、光軸に対して角度を成している。
【００１８】
反射器モジュールは、好ましくは、１対の第１の補助反射器及び１対の第２の補助反射器を含み、第１の補助反射器及び第２の補助反射器は、光軸の周りに交互に配置されている。第１の補助反射器は、開口部の第１の両側に配置され、従って、それらがそれらの展開位置に向けて移動される時に互いに接近し、一方、第２の補助反射器は、開口部の第２の両側に配置され、従って、それらがそれらの展開位置に向けて移動される時に同じく互いに接近する。
【００１９】
第１の補助反射器は、好ましくは、第２の補助反射器の形状とは異なる形状を有する。好ましい実施形態において、第１の補助反射器の各々は、好ましくは開口部の一方の側の長さに沿って延びる単一平面反射面を含む。その収容位置において、第１の補助反射器の各々は、好ましくは、主反射器の反射面のそれぞれの１つの直下にかつそれと平行に位置する。主反射器のそれらの反射面が非共面であるので、第１の補助反射器の反射面も、好ましくは共面である。第１の補助反射器の各々の反射面は、好ましくは、開口部の光軸に対して垂直である平面に対して好ましくは５から３０°の範囲の角度で傾斜している。これらの第１の補助反射器は、好ましくは、実質的に平行な前縁を有する。
【００２０】
対照的に、第２の補助反射器の各々は、好ましくは、複数の非共面反射面を含む。これらの第２の補助反射器は、好ましくは、非平行な前縁を有する。第２の補助反射器の各々の反射面は、好ましくは、開口部の光軸に対して垂直である平面に対して傾斜しており、かつより好ましくは、各々が隣接する第１の補助反射器の反射面に平行である。これは、第２の補助反射器の各々の少なくとも一部分を補助反射器がそれらの展開位置にある時に主反射器と第１の補助反射器のうちの１つとの間に配置すること可能にし、従って、反射器モジュールが小型の形状を有することを可能にすることができる。例えば、第２の補助反射器の各々の第１の部分は、主反射器と第１の補助反射器のうちの第１のものとの間に配置することができ、第２の補助反射器の各々の第２の部分は、主反射器と第１の補助反射器のうちの第２のものとの間に配置することができる。
【００２１】
好ましくは、第１の補助反射器の各々は、第１の角度で光軸と交差する方向に主反射器に対して移動可能であり、第２の補助反射器の各々は、第２の角度で光軸と交差する方向に主反射器に対して移動可能である。第１の角度は、好ましくは、第２の角度と異なっている。好ましい実施形態において、第２の角度は、９０°である。第１の角度は、第２の角度よりも大きい又は小さいとすることができ、かつ好ましい実施形態において、光軸に沿ってかつ光源から離れるように延びる方向に対して測定した時に鈍角である。第１の角度は、好ましくは、９５から１２０°の範囲にあり、かつ好ましい実施形態において１０５°である。
【００２２】
上述のように、反射器モジュールの反射面は、光を主反射器の開口部から離れるように反射するように配置される。この反射光を２次ターゲット区域上に直接に入射させるのではなく、この反射光は、選択されたターゲット区域に向けて反射器モジュールの追加の反射面によって更に反射させることができる。この選択されたターゲット区域は、ターゲット区域と一致する場合があり、又は異なる２次ターゲット区域である場合がある。これらの追加の反射面は、主反射器に又は補助反射器に接続することができる。追加の補助反射面は、主反射器に対して移動可能である場合がある。追加の反射面は、補助反射器と共に移動可能である場合がある。追加の反射面は、補助反射器に対して移動可能である場合がある。
【００２３】
反射器モジュールの各反射面は、鏡面反射面又はランバート反射面である場合がある。反射器モジュールは、従って、鏡面反射面、ランバート反射面、又は２つの混合物を含むことができる。２次ターゲット区域上で発生された照明パターンを和らげるために、拡散器又は拡散材料の層を主反射器及び／又は補助反射器の各反射面又は反射面の選択されたものの上に配置することができる。
【００２４】
本発明の好ましい特徴をここで単に一例として添付図面を参照して以下に説明する。
【図面の簡単な説明】
【００２５】
【図１】照明デバイスの上からの斜視図である。
【図２】照明デバイスの側面図である。
【図３】照明デバイスの底面図である。
【図４（ａ）】図３の線Ａ−Ａに沿って切り取った前面断面図である。
【図４（ｂ）】図４（ａ）の領域Ｂの拡大図である。
【図４（ｃ）】図３の線Ｃ−Ｃに沿って切り取った側面断面図である。
【図５（ａ）】反射器モジュールの補助反射器が収容位置にある照明デバイスのバッフル及び反射器モジュールの上からの斜視図である。
【図５（ｂ）】図５（ａ）に示すようなバッフル及び反射器モジュールの上面図である。
【図５（ｃ）】図５（ｂ）の線Ａ−Ａに沿って切り取った側面断面図である。
【図５（ｄ）】図５（ｂ）の線Ｂ−Ｂに沿って切り取った前面断面図である。
【図６（ａ）】補助反射器が第１の展開位置にあるバッフル及び反射器モジュールの上からの斜視図である。
【図６（ｂ）】図６（ａ）に示すようなバッフル及び反射器モジュールの上面図である。
【図６（ｃ）】図６（ｂ）の線Ａ−Ａに沿って切り取った側面断面図である。
【図６（ｄ）】図６（ｂ）の線Ｂ−Ｂに沿って切り取った前面断面図である。
【図７（ａ）】補助反射器が第２の展開位置にあるバッフル及び反射器モジュールの上からの斜視図である。
【図７（ｂ）】図７（ａ）に示すようなバッフル及び反射器モジュールの上面図である。
【図７（ｃ）】図７（ｂ）の線Ａ−Ａに沿って切り取った側面断面図である。
【図７（ｄ）】図７（ｂ）の線Ｂ−Ｂに沿って切り取った前面断面図である。
【図８（ａ）】反射器モジュールの一部の上からの斜視図である。
【図８（ｂ）】１対の第２の補助反射器が除去された図８（ａ）と類似の図である。
【発明を実施するための形態】
【００２６】
図１〜図３は、照明デバイスの外見図である。この実施形態において、照明デバイスは、机、ベンチ、又は会議テーブルのようなターゲット区域を照射するために部屋、事務所、ホール、又は他の家庭又は商業環境の天井から吊り下げされる吊り下げ型照明デバイス１０の形態にある。しかし、照明デバイスは、床上又は卓上ランプ、又は壁装着型照明デバイスのような他の形態を取ることができる。
【００２７】
図４（ａ）〜図４（ｃ）を同じく参照すると、照明デバイス１０は、可視光を発生する光源１２を含む。この実施形態において、光源１２は、熱伝導装着板１４上に装着されたチップ−オン−ボード（ＣＯＢ）ＬＥＤモジュールである。装着板１４は、冷却回路と熱連通し、冷却回路は、複数のヒートパイプ１６を含み、複数のヒートパイプ１６は、装着板１４とヒートパイプ１６に接続される複数のフィン１８とに係合する。冷却回路の詳細は、ＷＯ  ２０１５／１３６２４１に説明されており、その内容は、引用によって本明細書に組み込まれているので、ここでは繰り返さない。
【００２８】
照明デバイス１０は、ヒートパイプ１６に物理的に接続された吊り下げケーブル（図示せず）によって天井から吊り下げされる。照明デバイス１０の駆動電子機器は、天井上に装着するか又は天井に凹設するか又は天井空隙内に収容することができる個別のモジュール（図示せず）内に位置付けられる。これらの電子機器は、吊り下げケーブルに装着されるか又は吊り下げケーブルの一部を形成するワイヤによって光源１２に接続される。
【００２９】
照明デバイス１０は、望ましい光分布パターンを光源１２によって発生された光から作成するレンズ２０を含む。この実施形態において、レンズ２０は、照明デバイス１０の下に位置付けられた矩形のターゲット区域を照明する光分布パターンを作成するように成形される。レンズ２０は、支持板２２上に装着され、この支持板２２は、光源１２のために装着板１４の周りに延び、かつ冷却回路を支持するための支持フレームの一部を形成する。バッフル２４が、光源１２及びレンズ２０を取り囲む。図５（ａ）〜図５（ｄ）を同じく参照すると、バッフル２４は、一般的に、第１の比較的小さい開放端２６と第２の比較的大きい開放端２８の間に位置付けられた一連の環状隆起部を含む切頂矩形ピラミッドの形態である。第１の開放端２６は、バッフル２４が図４（ｂ）及び図４（ｃ）に示すように光源１２の光軸Ｘと軸線方向に位置合わせされるように支持板２２に接続され、バッフル２４の開放端は、同心状に光軸Ｘ上に配置される。バッフル２４の内面は、そこに入射するレンズ２０から射出されたあらゆる光が第２の開放端２８に向けて反射されるように反射材料で内張りするか又はそれで構成することができる。これに代えて又はこれに加えて、入射する光をバッフル２４の第２の開放端２８の方向に案内する湾曲又は円錐反射器３２をバッフル２４の内面に接続し、レンズ２０の周りに配置することができる。
【００３０】
照明デバイス１０は、反射器モジュール４０を更に含む。反射器モジュール４０は、反射器モジュール４０の反射面がバッフル２４から離間し、バッフル２４の下流で光学的に位置付けられるようにバッフル２４に対して配置され、従って、この実施形態において、反射器モジュール４０は、バッフル２４の下に位置付けられる。反射器モジュール４０は、バッフル２４の第２の開放端２８と反射器モジュール４０の間を延びる支柱４２を通してバッフル２４に直接に接続される。反射器モジュール４０は、好ましくは、以下でより詳細に説明するように、例えば、洗浄又は調節のために反射器モジュール４０を照明デバイス１０から除去することを可能にするように支柱４２に着脱可能に接続される。
【００３１】
反射器モジュール４０は、光源１２によって発生された光が通ってターゲット区域に向けて投影される可変サイズの開口を定める。反射器モジュール４０は、主反射器４４及び複数の補助反射器を含み、複数の補助反射器は、反射器モジュール４０の開口のサイズを調節するために主反射器４４に対して移動可能である。主反射器４４は、バッフル２４に接続され、補助反射器は、主反射器４４に接続される。補助反射器は、収容位置といくつかの展開位置の１つとの間で主反射器４４に対して移動可能である。補助反射器の各々が収容位置にある時に、反射器モジュール４０の開口サイズは、最大値にあり、一方、補助反射器の各々が完全に配備された位置にある時に、反射器モジュール４０の開口サイズは、最小値にある。
【００３２】
主反射器４４は、照明デバイス１０の光出力がターゲット区域に向けてそこから投影される光出口開口部４６を含む。主反射器４４は、光出口開口部４６がバッフル２４の第２の開放端２８から光軸Ｘに沿って離間するように、かつ光出口開口部４６の中心が光軸Ｘ上に位置付けられるように成形される。
【００３３】
以下に説明するように、補助反射器がそれらの収容位置にある時に、それらは、主反射器４４によって反射器モジュール４０に入射する光から遮蔽される。反射器モジュール４０のこの構成において、光出口開口部４６の周囲は、反射器モジュール４０の開口の最大サイズを定める。光源１２から反射器モジュール４０に入射する光は、望ましい照明パターンをターゲット区域上に発生するように主反射器４４によって切り取られる。この実施形態において、照明パターンは、実質的に矩形であり、従って、光出口開口部４６の縁部は、そのような照明パターンを発生するように反射器モジュール４０を通過する全体的な光ビームの形状を定めるように成形される。光出口開口部４６は、１対の比較的長い縁部４８及び１対の比較的短い縁部５０を含む。長い縁部４８は、互いに実質的に平行であり、一方、短い縁部５０は、非平行であり、相互に傾斜したセクションを有する。
【００３４】
主反射器４４の上面は、光出口開口部４６に隣接して位置付けられた反射面５２を含む。これらの反射面５２は、光出口開口部４６の縁部を定め、入射する光を照明デバイス１０の下に位置付けられたターゲット区域から離れるように、かつ照明デバイス１０が照明デバイス１０の局所環境の間接又は２次照明のために装着された天井のような２次ターゲット区域に向けて反射するように配置される。これらの反射面５２は、この実施形態において、いずれの反射光も照明デバイス１０の他の構成要素に入射されず、従って、それよって吸収されず、その代わりに光軸から離れるようにかつ２次ターゲット区域に向けて反射されることを保証するために各反射面５２が光軸Ｘから離れるように面するように、非共面で非平行な配置に配置される。
【００３５】
主反射器４４の各反射面５２は、望ましい照明パターンを２次ターゲット区域上に作成するあらゆる形状を取ることができ、従って、湾曲、切子面、又は平面の反射器とすることができ、又は異なる形状の組合せを含むことができる。好ましい実施形態において、主反射器４４の各反射面５２は、光出口開口部４６の光軸Ｘに垂直である平面に対して５から３０°の範囲の角度で傾斜している平面反射面である。この例では、主反射器４４の各反射面５２は、その平面にほぼ１５°の角度で傾斜している。
【００３６】
主反射器４４はまた、複数の周囲壁５４を含み、複数の周囲壁５４は、反射面５２の周りに配置され、反射面５２に対して角度を成している。周囲壁５４は、主反射器４４の反射面５２を照明デバイス１０の通常の視野から遮蔽するように機能する。周囲壁５４の各々は、好ましくは、光を向けるように光軸に向けて面する反射面を含み、光は、反射器モジュール４０の他の反射面の１つによって２次ターゲット区域に向けて反射される。
【００３７】
上述のように、反射器モジュール４０は、複数の補助反射器を含み、複数の補助反射器は、反射器モジュール４０の開口のサイズを調節し、従って、照明デバイス１０の光出力のサイズを調節するように主反射器４４に接続され、かつ主反射器４４に対して移動可能である。補助反射器の上面も、反射面を含む。補助反射器の各反射面は、望ましい照明パターンを２次ターゲット区域上に作成するあらゆる形状を取ることができ、従って、湾曲、切子面、又は平面の反射器とすることができ、又は異なる形状の組合せを含むことができる。好ましい実施形態において、補助反射器の各反射面は、平面反射面である。
【００３８】
この実施形態において、各補助反射器は、主反射器４４のスロット又は溝に沿って主反射器４４に対して手動で摺動可能であり、スロット又は溝はまた、補助反射器を主反射器４４上に保持するように機能する。主反射器４４は、反射器モジュール４０の組み立て中に互いに接続される上側及び下側本体セクションを含み、それらの間に、各補助反射器の１又は２以上の部分が保持される。
【００３９】
補助反射器の各々は、収容位置といくつかの展開位置の１つとの間で主反射器４４に対して移動可能である。図５（ａ）〜図５（ｄ）は、補助反射器の各々が収容位置にある時の反射器モジュール４０の構成を示している。この位置において、補助反射器の各々は、光源１２によって発生された光から主反射器４４によって遮蔽されるように主反射器４４の下に位置付けられる。この実施形態において、反射器モジュール４０は、１対の第１の補助反射器６０及び１対の第２の補助反射器６２を含む。第１の補助反射器６０は、光出口開口部４６の第１の両側に配置され、第２の補助反射器６２は、光出口開口部４６の第２の両側に配置され、従って、第１の補助反射器６０及び第２の補助反射器６２は、光軸Ｘの周りに交互に配置される。
【００４０】
その収容位置において、第１の補助反射器６０の各々は、主反射器４４の反射面５２のそれぞれの１つの直下にかつそれぞれの１つと平行に位置する。第１の補助反射器６０の各々は、単一平面反射面を含み、単一平面反射面は、光出口開口部４６の比較的長い縁部４８の１つの長さに沿って延び、かつ光出口開口部４６のその長い縁部４８と実質的に平行である前縁６４を有する。主反射器４４の反射面５２と同様に、第１の補助反射器６０の各々の反射面は、光出口開口部４６の光軸Ｘに垂直である平面に対して１５°の角度でこのように傾斜している。
【００４１】
対照的に、その収容位置において、第２の補助反射器６２の各々は、主反射器４４の両方の反射面５２のそれぞれの部分の下にある。従って、各第２の補助反射器６２は、（ｉ）収容位置において、反射面５２の１つの下にかつ好ましくはその反射面５２と第１の補助反射器６０の一方の間に位置する第１の部分と、（ｉｉ）収容位置において、他方の反射面５２の下にかつ好ましくはその反射面５２と他方の第１の補助反射器６０の間に位置する第２の部分とを含む。
【００４２】
第２の補助反射器６２の各部分は、それぞれの反射面を含む。従って、第２の補助反射器６２の各々の反射面も、光出口開口部の光軸に対して垂直である平面に対して傾斜しているが、この場合に、第２の補助反射器６２の反射面は、相互に相対的に傾斜している。第２の補助反射器６２の各々は、光出口開口部４６の比較的短い縁部５０と同じ形状を有する前縁６６を有する。
【００４３】
補助反射器の各々は、収容位置からいくつかの展開位置の１つまで主反射器４４に対して移動可能である。図６（ａ）〜図６（ｄ）は、補助反射器が収容位置と第２の完全展開位置の間の中間である第１の展開位置にある時の反射器モジュール４０の構成を示し、図７（ａ）〜図７（ｄ）は、補助反射器が完全展開位置にある時の反射器モジュール４０の構成を示している。補助反射器は、主反射器４４に対して個々に、対で、又は同時に移動可能である場合がある。
【００４４】
各補助反射器は、この実施形態において直線経路であるそれぞれの経路に沿って主反射器４４に対して移動可能である。これらの経路の各々は、光軸Ｘに対して角度を成している。第１の補助反射器６０は、図４（ｃ）に図示の１０５°の角度だけ光軸Ｘに対して傾斜している方向Ｄ１に延びる経路に沿って移動可能であり、各第１の補助反射器６０の反射面は、第１の補助反射器６０が収容位置と完全展開位置の間で移動する時に主反射器４４のそれぞれの反射面５２に実質的に平行なままであるようになっている。第２の補助反射器６２は、図４（ｂ）に図示の光軸Ｘと実質的に直交する方向Ｄ２に延びる経路に沿って移動可能であり、各第２の補助反射器６２の各反射面は、第２の補助反射器６２が収容位置と完全展開位置の間で移動する時に主反射器４４のそれぞれの反射面５２に実質的に平行なままであるようになっている。
【００４５】
補助反射器の各対は、これらの補助反射器がそれらの収容位置から離れる時に互いに接近する。補助反射器が収容位置から離れる時に、それは、主反射器４４の光出口開口部４６を横切って反射器モジュール４０の開口面積を低減し、それによってターゲット区域に向けて投影された光出力を切り取る。反射器モジュール４０の開口面積の低減と同時に、ターゲット区域から離れるように反射される光の量は、発生された光への補助反射器の反射面の露出を通して増大する。換言すると、切り取られた光は、照明デバイス１０によって吸収されないが、代わりに２次ターゲット区域に向けても反射され、そこで、それは、照明デバイス１０が位置付けられた環境の全体的な照明に寄与することができる。その完全展開位置に向けた補助反射器の移動は、２次ターゲット区域上で発生される照明パターンのサイズ及び／又は強度をこのように徐々に増大する。
【００４６】
補助反射器の各々は、好ましくは、収容位置からいくつかの展開位置の１つまで主反射器４４に対して移動可能であり、展開位置の各々において、補助反射器の反射面は、光源１２によって発生された光によってそれぞれの異なる量で露出される。図８（ａ）〜図８（ｂ）を参照すると、この実施形態において、第１の補助反射器６０の各々は、戻り止め部材７０をその各側に含み、主反射器４４は、各々が展開位置のそれぞれの１つでそれぞれの戻り止め部材７０と係合して主反射器４４に対する第１の補助反射器６０の運動を確認するための２つの一連の戻り止め凹部７２を含む。同様に、図５（ｄ）、図６（ｄ）、及び図７（ｄ）を参照すると、この実施形態において、第２の補助反射器６２の各々は、中心に位置決めされた戻り止め部材７４を含み、主反射器４４は、各々が展開位置のそれぞれの１つで戻り止め部材７４と係合して主反射器４４に対する第２の補助反射器６２の運動を確認するための一連の戻り止め凹部７６を含む。補助反射器を望ましい位置に固定するためのキャッチ又はロッキング機構を設けることができる。
【００４７】
図４（ａ）〜図４（ｃ）に専ら示すように、２次ターゲット区域を照明するための追加の光源１２ａを設けることができる。この追加の光源１２ａは、装着板１４に対してヒートパイプ１６の反対側に配置された追加の熱伝導装着板１４ａ上に装着することができ、これは、光源の両方の使用中に発生する熱を冷却回路が放散することを可能にする。
【図１】
0006359607.tif 000002
【図２】
0006359607.tif 000003
【図３】
0006359607.tif 000004
【図４（ａ）】
0006359607.tif 000005
【図４（ｂ）】
0006359607.tif 000006
【図４（ｃ）】
0006359607.tif 000007
【図５（ａ）】
0006359607.tif 000008
【図５（ｂ）】
0006359607.tif 000009
【図５（ｃ）】
0006359607.tif 000010
【図５（ｄ）】
0006359607.tif 000011
【図６（ａ）】
0006359607.tif 000012
【図６（ｂ）】
0006359607.tif 000013
【図６（ｃ）】
0006359607.tif 000014
【図６（ｄ）】
0006359607.tif 000015
【図７（ａ）】
0006359607.tif 000016
【図７（ｂ）】
0006359607.tif 000017
【図７（ｃ）】
0006359607.tif 000018
【図７（ｄ）】
0006359607.tif 000019
【図８（ａ）】
0006359607.tif 000020
【図８（ｂ）】
0006359607.tif 000021